(57)【要約】【課題】  印刷物を配布された者が、該印刷物に印刷された文章中の単語に対応する関連情報を参照して該単語の意味を容易に理解できる印刷物を印刷可能にする。【解決手段】  ホスト端末１０において、単語／関連情報管理ＴＢ１３１は、単語に対応して、該単語の意味を表わす絵文字情報を保持する。関連情報付加印刷モードでの印刷を指定する文書情報の印刷指示に際し、関連情報付加変換処理部１４４は、該文書情報から単語／関連情報管理ＴＢ１３１に保持される単語を抽出し、当該文書情報を、該抽出した単語の直後に、該単語の意味を表わす絵文字情報を挿入した文書情報に変換処理し、印刷ジョブ生成部１４２は、変換処理後の文書情報に基づき、プリンタ２０に、上記印刷指示された文書情報中の単語に該単語の意味を表す絵文字情報を付加した印刷物を印刷出力させる。【選択図】  図２
2008117282.tif 000002
【特許請求の範囲】
【請求項１】
単語に対応して、該単語に関連する関連情報を保持する情報保持手段と、
文書情報の印刷指示に際し、該文書情報を、当該文書情報中の前記情報保持手段に保持される単語に、該単語に対応して前記情報保持手段に保持される関連情報を付加した文書情報に変換する変換手段と、
前記変換手段による前記変換処理後の文書情報に基づき印刷装置に対する印刷指示を行なう印刷指示手段と
を具備する情報処理装置。
【請求項２】
前記変換手段は、
印刷指示された文書情報中の前記情報保持手段に保持される単語の直後に該単語に対応する関連情報を挿入する
請求項１記載の情報処理装置。
【請求項３】
前記情報保持手段は、
単語に対応して、該単語の意味を表わす絵文字情報を前記関連情報として保持する
請求項１または２記載の情報処理装置。
【請求項４】
文書情報の印刷指示に際し、該文書情報中の単語に関連情報を付加して印刷するモードでの印刷を行うか否かを選択的に指定する指定手段
を備え、
前記変換手段は、
前記印刷モードでの印刷を行うことが指定された文書情報の印刷指示に際し、該文書情報に対する前記変換処理を行なう
請求項１乃至３のいずれか記載の情報処理装置。
【請求項５】
登録画面を表示し、該登録画面に表示される第１の領域に入力される単語と、該第１の領域と共に表示される第２の領域に入力される関連情報とを対応付けて前記情報保持手段に登録する登録手段
を具備する請求項１乃至４のいずれか記載の情報処理装置。
【請求項６】
情報処理装置と、
前記情報処理装置及び印刷装置に接続される印刷制御装置と
を有し、
前記情報処理装置は、
前記印刷制御装置に対し、文書情報中の単語に関連情報を付加して印刷するモードでの印刷を行うことが指定された文書情報の印刷指示を行う印刷指示手段
を備え、
前記印刷制御装置は、
単語に対応して、該単語に関連する関連情報を保持する情報保持手段と、
前記情報処理装置からの前記印刷指示に際し、該文書情報を、当該文書情報中の前記情報保持手段に保持される単語に、該単語に対応して前記情報保持手段に保持される関連情報を付加した文書情報に変換する変換手段と、
前記変換手段による前記変換処理後の文書情報に基づき印刷装置に対する印刷指示を行なう印刷指示手段と
を具備する印刷システム。
【請求項７】
前記変換手段は、
印刷指示された文書情報中の前記情報保持手段に保持される単語の直後に該単語に対応する関連情報を挿入する
請求項６記載の印刷システム。
【請求項８】
前記情報保持手段は、
単語に対応して、該単語の意味を表わす絵文字情報を前記関連情報として保持する
請求項６または７記載の印刷システム。
【請求項９】
前記情報処理装置は、
登録画面を表示し、該登録画面に表示される第１の領域に入力される単語と、該第１の領域と共に表示される第２の領域に入力される関連情報とを対応付けて前記印刷制御装置に登録要求する登録要求手段
を具備し、
前記印刷制御装置は、
前記情報処理装置からの前記登録要求に基づき、該登録要求された単語と該単語に関連する関連情報を前記情報保持手段に登録処理する登録処理手段
を具備する請求項６乃至８のいずれか記載の印刷システム。
【請求項１０】
単語に対応して、該単語に関連する関連情報を情報保持手段に保持し、
文書情報の印刷指示に際し、該文書情報を、当該文書情報中の前記情報保持手段に保持される単語に、該単語に対応して前記情報保持手段に保持される関連情報を付加した文書情報に変換する変換ステップと、
前記変換ステップによる前記変換処理後の文書情報に基づき印刷装置に対する印刷指示を行なう印刷指示ステップと
を含む印刷制御をコンピュータに実行させる印刷制御プログラム。
【請求項１１】
前記情報保持手段は、
単語に対応して、該単語の意味を表わす絵文字情報を前記関連情報として保持し、
前記変換ステップでは、
印刷指示された文書情報中の前記情報保持手段に保持される単語の直後に該単語の意味を表わす絵文字情報を挿入する文書情報変換処理を行う
請求項１０記載の印刷制御プログラム。
【発明の詳細な説明】
【技術分野】
【０００１】
本発明は、情報処理装置、印刷システム及び印刷制御プログラムに関する。
【背景技術】
【０００２】
例えば、小学校の第一学年から第六学年の生徒の間では、漢字等の学習レベルが異なるため、先生は、自分の受け持つ学級の生徒に配布するプリントを印刷する場合、その学級が属する学年の生徒が読める漢字等を使うなどの配慮が必要である。
【０００３】
これを実現するために、例えば、下記特許文献１には、小学校の学年を指定することにより、各学年別の教育漢字が記憶されている学年別文字記憶装置から、文部省の学習指導要領に従って指定された学年以下の漢字を使用した文章でコンピュータのディスプレイに表示させたり、印字できる技術が開示されている。
【特許文献１】特開２０００−３３９３００号公報
【発明の開示】
【発明が解決しようとする課題】
【０００４】
本発明は、印刷物を配布された者が、該印刷物に印刷された文章中の単語に対応する関連情報を参照して該単語の意味を容易に理解できる印刷物を印刷可能な情報処理装置、印刷システム及び印刷制御プログラムを提供することを目的とする。
【課題を解決するための手段】
【０００５】
上記目的を達成するために、請求項１記載の情報処理装置の発明は、単語に対応して、該単語に関連する関連情報を保持する情報保持手段と、文書情報の印刷指示に際し、該文書情報を、当該文書情報中の前記情報保持手段に保持される単語に、該単語に対応して前記情報保持手段に保持される関連情報を付加した文書情報に変換する変換手段と、前記変換手段による前記変換処理後の文書情報に基づき印刷装置に対する印刷指示を行なう印刷指示手段とを具備する。
【０００６】
請求項２記載の発明は、上記請求項１記載の発明において、前記変換手段は、印刷指示された文書情報中の前記情報保持手段に保持される単語の直後に該単語に対応する関連情報を挿入する。
【０００７】
請求項３記載の発明は、上記請求項１または２記載の発明において、前記情報保持手段は、単語に対応して、該単語の意味を表わす絵文字情報を前記関連情報として保持する。
【０００８】
請求項４記載の発明は、上記請求項１乃至３のいずれか記載の発明において、文書情報の印刷指示に際し、該文書情報中の単語に関連情報を付加して印刷するモードでの印刷を行うか否かを選択的に指定する指定手段を備え、前記変換手段は、前記印刷モードでの印刷を行うことが指定された文書情報の印刷指示に際し、該文書情報に対する前記変換処理を行なう。
【０００９】
請求項５記載の発明は、上記請求項１乃至４のいずれか記載の発明において、登録画面を表示し、該登録画面に表示される第１の領域に入力される単語と、該第１の領域と共に表示される第２の領域に入力される関連情報とを対応付けて前記情報保持手段に登録する登録手段を具備する。
【００１０】
請求項６記載の印刷システムの発明は、情報処理装置と、前記情報処理装置及び印刷装置に接続される印刷制御装置とを有し、前記情報処理装置は、前記印刷制御装置に対し、文書情報中の単語に関連情報を付加して印刷するモードでの印刷を行うことが指定された文書情報の印刷指示を行う印刷指示手段を備え、前記印刷制御装置は、単語に対応して、該単語に関連する関連情報を保持する情報保持手段と、前記情報処理装置からの前記印刷指示に際し、該文書情報を、当該文書情報中の前記情報保持手段に保持される単語に、該単語に対応して前記情報保持手段に保持される関連情報を付加した文書情報に変換する変換手段と、前記変換手段による前記変換処理後の文書情報に基づき印刷装置に対する印刷指示を行なう印刷指示手段とを具備する。
【００１１】
請求項７記載の発明は、上記請求項６記載の発明において、前記変換手段は、印刷指示された文書情報中の前記情報保持手段に保持される単語の直後に該単語に対応する関連情報を挿入する。
【００１２】
請求項８記載の発明は、上記請求項６または７記載の発明において、前記情報保持手段は、単語に対応して、該単語の意味を表わす絵文字情報を前記関連情報として保持する。
【００１３】
請求項９記載の発明は、上記請求項６乃至８のいずれか記載の発明において、前記情報処理装置は、登録画面を表示し、該登録画面に表示される第１の領域に入力される単語と、該第１の領域と共に表示される第２の領域に入力される関連情報とを対応付けて前記印刷制御装置に登録要求する登録要求手段を具備し、前記印刷制御装置は、前記情報処理装置からの前記登録要求に基づき、該登録要求された単語と該単語に関連する関連情報を前記情報保持手段に登録処理する登録処理手段を具備する。
【００１４】
請求項１０記載の印刷制御プログラムの発明は、単語に対応して、該単語に関連する関連情報を情報保持手段に保持し、文書情報の印刷指示に際し、該文書情報を、当該文書情報中の前記情報保持手段に保持される単語に、該単語に対応して前記情報保持手段に保持される関連情報を付加した文書情報に変換する変換ステップと、前記変換ステップによる前記変換処理後の文書情報に基づき印刷装置に対する印刷指示を行なう印刷指示ステップとを含む印刷制御をコンピュータに実行させる。
【００１５】
請求項１１記載の発明は、上記請求項１０記載の発明において、前記情報保持手段は、単語に対応して、該単語の意味を表わす絵文字情報を前記関連情報として保持し、前記変換ステップでは、印刷指示された文書情報中の前記情報保持手段に保持される単語の直後に該単語の意味を表わす絵文字情報を挿入する文書情報変換処理を行う。
【発明の効果】
【００１６】
請求項１，６及び１０記載の各発明によれば、本構成を有しない場合に比較して、配布対象者は、渡された印刷物中、文書中の単語に付加印刷された該単語の関連情報を参照して、該単語の意味を容易に理解でき、全体内容の理解を深めることができる。
【００１７】
請求項２及び７記載の各発明によれば、本構成を有しない場合に比較して、印刷物上で、単語とその直後に付加印刷された関連情報とを対比させ易く、該印刷物に印刷された文章の読み易さが向上する。
【００１８】
請求項３，８及び１１記載の各発明によれば、本構成を有しない場合に比較して、単語の意味を習っていない低学年の生徒等においても、印刷物中の単語の直後に挿入された絵文字情報を見ることで、該単語の意味を理解することができる。
【００１９】
請求項４記載の各発明によれば、本構成を有しない場合に比較して、文書情報中の単語に関連情報を付加して印刷するモードと、通常の印刷モードとの使い分けが容易になる。
【００２０】
請求項５及び９記載の各発明によれば、本構成を有しない場合に比較して、任意の単語に対応付けて、該単語に関連する関連情報を登録でき、登録する単語を追加、削減する更新処理にも容易に対応できる。
【発明を実施するための最良の形態】
【００２１】
以下、本発明の実施形態について添付図面を参照して詳細に説明する。
【実施例１】
【００２２】
図１は、実施例１に係わる印刷システムの全体構成を示すブロック図である。
【００２３】
この印刷システムは、文書の編集や管理、印刷要求（印刷ジョブ）送出等の文書処理機能を有するホスト端末１０と、ホスト端末１０から受信した印刷ジョブに基づき該印刷ジョブ中の印刷データを記録媒体（記録用紙）印刷して出力するプリンタ２０とをＬＡＮケーブル等の伝送路３０を介して構成される。
【００２４】
図２は、実施例１に係わるホスト端末１０の機能構成を示すブロック図である。
【００２５】
ホスト端末１０は、例えば、ＰＣ（パーソナル・コンピュータ）により実現され、図２に示すように、キーボードやマウス等の入力デバイスから成る入力／操作部１１、操作ガイダンスや動作状態等の各種情報を表示する表示部１２、動作プログラム等の各種情報を記憶する記憶部１３、装置全体の制御を行う制御部１４、伝送路３０を介してプリンタ２０と通信する際の通信インタフェースを司る外部インタフェース（Ｉ／Ｆ）部１５を備えて構成される。
【００２６】
ホスト端末１０において、記憶部１３には、単語に対応して、該単語に関連する関連情報を保持する単語／関連情報管理テーブル（ＴＢ）１３１が設けられる。
【００２７】
また、ホスト端末１０において、制御部１４には、入力／操作部１１での所定の操作に応じて文書情報（文書ファイル）などの操作、保存、表示、編集、印刷指示操作などの処理を行うアプリケーション部１４１、入力／操作部１１での所定の印刷指示操作に基づき文書ファイルの印刷データとその処理命令から成る印刷ジョブを生成してプリンタ２０に送出する印刷ジョブ生成部１４２、記憶部１３に設けられる単語／関連情報管理ＴＢ１３１に対して、単語と、該単語に関連する関連情報とを対応付けて登録する処理と、該登録情報を更新する処理を含む単語／関連情報の管理処理を行なう単語／関連情報管理部１４３、文書情報の印刷指示に際し、該文書情報中の単語に該単語に関連する関連情報を付加して印刷するモードでの印刷を行う旨の指定を受付け、該印刷指示された文書情報を、当該文書情報中の単語／関連情報管理ＴＢ１３１に保持される単語に対応する単語に、該単語に対応して単語／関連情報管理ＴＢ１３１に保持される関連情報を付加した文書情報に変換する関連情報付加変換処理部１４４が設けられる。
【００２８】
図３は、実施例１に係わるプリンタ２０の機能構成を示すブロック図である。
【００２９】
図３に示すように、プリンタ２０は、伝送路３０を介してホスト端末１０と通信する際の通信インタフェースを司る外部インタフェース（Ｉ／Ｆ）部２１、外部  Ｉ／Ｆ部２１を通じてホスト端末１０から受信した印刷ジョブから抽出した印刷データや動作プログラム等の各種情報を記憶する記憶部２２、受信した印刷データを画像処理して得られる印刷イメージデータに基づき電子写真プロセスを実行して記録媒体（記録用紙）に画像を形成（印刷）する画像形成部２３、タッチパネル機能を有する大型ビットマップディスプレイ等から成る表示／操作部２４、装置全体の制御を行なう制御部２５を具備して構成される。
【００３０】
プリンタ２０において、制御部２５には、ホスト端末１０から外部  Ｉ／Ｆ部２１を通じて受信した印刷ジョブの解析、及び、該解析結果に基づく印刷イメージデータの生成処理を行う印刷ジョブ解析部２５１、印刷イメージデータを画像形成部２３に送信して記録媒体上に画像を印刷出力させる印刷制御部２５２が設けられる。
【００３１】
図４は、単語／関連情報管理ＴＢ１３１に登録される単語／関連情報の一例を示す表図である。
【００３２】
図４に例示する単語／関連情報管理ＴＢ１３１には、くるま（車）、でんしゃ（電車）、しんごう（信号）等の各単語に対応して、それぞれ、該各単語の意味内容を絵で表現した絵文字情報が、関連情報として保持（登録）されている。
【００３３】
単語／関連情報管理部１４３は、例えば、単語／関連情報管理ＴＢ１３に登録される各単語の文字コードと、該各単語の関連情報である絵文字情報の記憶アドレスを関係付けた関係付け情報を保持しており、この関連付け情報を用いて、各単語と、該各単語に対応する関連情報の登録し、各単語をキーにした当該各単語の関連情報である絵文字情報の読出しを可能にしている。
【００３４】
この印刷システムは、例えば、学校の職員室に設置され、ある学級を受け持つ先生が、該学級の生徒に配布するプリント（印刷物）を印刷するために用いられる。
【００３５】
そして、この印刷システムでは、所望のプリントを印刷して配布しようとした時、該プリントの元原稿である文書情報の印刷指示に際して、該文書情報中の単語に該単語に関連する関連情報を付加して印刷するモードでの印刷を行うことを指定すると、ホスト端末１０は、該印刷指示された文書情報を、該文書情報中の単語／関連情報管理ＴＢ１３１に保持される単語（登録済単語）に相当する単語に、該単語に対応して単語／関連情報管理ＴＢ１３１に保持される関連情報（絵文字情報）が付加された画像内容の印刷物をプリンタ２０により印刷させる印刷制御を行う。
【００３６】
かかる運用を実現するために、ユーザ（ユーザ）は、ホスト端末１０を用いて、その単語／関連情報管理ＴＢ１３１に、例えば、図４に示す如く、くるまと、くるまの絵文字情報といった関係を有する単語／関連情報を事前に登録しておく必要がある。
【００３７】
図５は、ホスト端末１０における単語／関連情報管理ＴＢ１３１に対する単語／関連情報の登録（更新登録も含む）処理を示すフローチャートである。この処理は、ホスト端末１０の制御部１４に設けられる単語／関連情報管理部１４３により行なわれる。
【００３８】
単語／関連情報管理部１４３は、例えば、アプリケーション部１４１の制御下の単語／関連情報登録（更新）アプリケーションとして備わるものであり、ユーザ（先生）が、例えば、表示部１２に表示される画面（デスクトップ画面）上の対応するアイコンを選択指定することにより起動され（ステップＳ１０１）、起動後は、単語／関連情報管理ＴＢ１３１から登録済の単語／関連情報を読み出し、該読み出した単語／関連情報の一覧表示（単語と、その単語に対応する絵文字情報がそれぞれ対となって各枠内に表示される）を含む画面（確認画面）を表示部１２に表示する（ステップＳ１０２）。
【００３９】
ユーザは、この確認画面（図示せず）上で、例えば、「登録終了」ボタンを押下することで登録終了を指示することができる。また、確認画面上で、一覧表示された単語／関連情報対のうちの１つを選択指定することにより、該選択指定した単語／関連情報の更新を指示することができ、「編集」ボタンを押下することで、単語と、該単語に対応する関連情報の新規登録を指示することができる。
【００４０】
これに対し、単語／関連情報管理部１４３は、上記ステップＳ１０２での確認画面の表示中、ユーザによって、登録終了操作が行なわれたか否かを監視し（ステップＳ１０３）、ここで、登録終了操作が行なわれた場合（ステップＳ１０３ＹＥＳ）、処理を終了する。
【００４１】
また、登録終了操作が行なわれない場合（ステップＳ１０３ＮＯ）、次いで、新規登録指示操作（「編集」ボタンの押下操作）、または、更新の指示操作（いずれかの単語／関連情報対の選択操作）が行なわれたか否かを監視し（ステップＳ１０４）、いずれかの操作が行なわれた場合（ステップＳ１０４ＹＥＳ）、編集画面を表示する（ステップＳ１０５）。
【００４２】
図６は、ステップＳ１０５の処理により表示部１２に表示される編集画面１２１の表示例を示す図である。
【００４３】
図６に示すように、この編集画面１２１には、単語を入力する単語入力エリア１２１１と、該単語の意味を表す絵文字を入力（描画）する関連情報入力エリア１２１２と、描画等に用いる各ツールが配置されるツール欄１２１３と、「設定」ボタン１２１４と、「終了」ボタン１２１５と、入力位置を指示するカーソル１２１６とが表示される。
【００４４】
ユーザは、この編集画面１２１で、入力／操作部１１でのキーやマウス等の入力デバイスや、ツール欄１２１２の各ツールを用いて、カーソル１２１６を、単語入力エリア１２１１、または、関連情報入力エリア１２１２内の所望の位置に移動させ、登録しようとする単語を単語入力エリア１２１１に入力したり、登録しようとする絵文字を関連情報入力エリア１２１２内に入力（描画）する編集操作を行なうことができる。
【００４５】
また、編集を終えた後、「設定」ボタン１２１４を押下することにより、単語入力エリア１２１１に入力された単語と、関連情報入力エリア１２１２に入力された絵文字情報とを対応付けて登録することを指示でき、また、「終了」ボタン１２１５を押下することにより、編集の終了を指示することができる。
【００４６】
これに対し、単語／関連情報管理部１４３は、編集画面１２１の表示中、該編集画面１２１上の、例えば、「終了」ボタン１２１５の押下操作等による編集終了操作が行なわれた否かを監視し（ステップＳ１０６）、編集終了操作が行なわれた場合（ステップＳ１０６ＹＥＳ）は、ステップＳ１０２に戻り、登録情報の一覧表示を行なう。
【００４７】
これに対し、編集終了操作が行なわれない場合（ステップＳ１０６ＮＯ）、編集画面１２１上で行われる編集操作を受付け（ステップＳ１０７）、該編集操作の受付けを続けながら、「設定」ボタン１２１４の押下等による登録開始操作が行なわれたか否かを監視する（ステップＳ１０８）。
【００４８】
ここで、学登録開始操作が行われた場合（ステップＳ１０８ＹＥＳ）、単語／関連情報管理部１４３は、それまでの編集操作において、単語入力エリア１２１１に入力された単語と、関連情報入力エリア１２１２に入力された絵文字情報とを対応付けて単語／関連情報管理ＴＢ１３１に登録する（ステップＳ１０９）。
【００４９】
その後、単語／関連情報管理部１４３は、ステップＳ１０２に戻り、登録情報の一覧表示を行ない、ここで、登録終了操作が行なわれる（ステップＳ１０３ＹＥＳ）ことにより、該一覧表画面（確認画面）を閉じ、一連の登録処理を終了する。
【００５０】
なお、上記の説明では、ステップＳ１０４で、ユーザが確認画面上で新規登録開始操作（「編集」ボタンの押下操作）を行なうことにより表示される新規登録用の編集画面１２１（図６に示す表示内容）を用いて新規登録処理を主体に述べたが、ステップＳ１０４で、ユーザが確認画面上で更新登録操作（いずれかの単語／関連情報対の選択操作）を行なうことにより表示される更新登録用の編集画面１２１を用いて更新登録処理もおこなうことができる。
【００５１】
この場合、編集画面１２１には、図６に示すレイアウトを用いて、単語入力エリア１２１１には選択した単語／関連情報対に対応する登録済の単語が表示され、関連情報入力エリア１２１２には、該単語／関連情報対に対応する登録済の絵文字情報が表示される。
【００５２】
その後、ユーザは、この編集画面１２１上で、単語入力エリア１２１１内の単語を別の単語に変更し、関連情報入力エリア１２１２内の絵文字情報を別のないように書き換える操作を行った後（ステップＳ１０７）、登録開始操作を行なうと（ステップＳ１０８ＹＥＳ）、単語／関連情報管理部１４３は、単語入力エリア１２１１に入力された変更後の単語と、関連情報入力エリア１２１２に入力された変更後の絵文字情報とを対応付けて単語／関連情報管理ＴＢ１３１に更新登録する（ステップＳ１０９）。
【００５３】
この更新登録処理については、登録済の単語と該単語の関連情報を削除する処理も含まれることはいうまでもない。
【００５４】
ホスト端末１０が、上記のような単語／関連情報の登録・更新処理（削除も含む）機能（単語／関連情報管理部１４３）を有することで、先生は、該ホスト端末１０を用い、自分が受け持つクラスの生徒の学習レベルに合わせて、単語／関連情報管理ＴＢ１３１に登録する単語と該単語の関連情報（絵文字情報）を、適宜、登録あるいは更新することができる。
【００５５】
次に、本実施例に係わる印刷システムのホスト端末１０における印刷処理動作について図７に示すフローチャートを参照して詳述する。
【００５６】
図７に示すように、ホスト端末１０では、ユーザによる入力／操作部１１での所望のアプリケーション（文書処理アプリケーション）の選択起動操作に応じて、アプリケーション部１４１が該アプリケーションを起動する（ステップS２０１）。
【００５７】
以後、このアプリケーションは、アプリケーション部１４１の制御下で、ユーザによる印刷を希望する文書情報の選択操作に応じて、該アプリケーションが管理している文書情報の中から該選択された文書情報を読み出してその編集画面を表示する文書情報選択処理（ステップＳ２０２）と、編集画面上での該当メニューボタン（「印刷」ボタン）の操作に応じて、例えば、図８に示すような印刷設定画面１２５を開いてユーザからの印刷設定（印刷制御情報）の入力を受付ける処理（ステップＳ２０３）を実施する。
【００５８】
ここで、印刷設定画面１２５には、図８に示すように、印刷部数、レイアウト（縦／横）、用紙サイズ（Ｂ４，Ａ４，Ｂ５，…）、拡大／縮小（１枚当たりの頁数，用紙サイズ指定）、印刷範囲（全頁，現在の頁，指定頁）等の一般的な設定項目の入力欄の他、モード指定欄が設けられる。
【００５９】
このモード指定欄は、図７のステップＳ２０６ＹＥＳ〜Ｓ２１４の処理に相当する関連情報付加印刷モード〔印刷指示した文書情報のうちの、単語／関連情報管理ＴＢ１３１に登録済の単語に、該単語に対応して単語／関連情報管理ＴＢ１３１に登録される関連情報を付加して印刷するモード〕での印刷を行なうことを指示する処理機能欄であり、当該関連情報付加印刷モードで印刷するか否か（起動するか否か）を指示するチェック・ボックス（ＣＢ）が設けられる。
【００６０】
これにより、ユーザは、印刷設定画面１２５のモード指定欄のチェック・ボックスにチェックを入れることにより、上記ステップＳ２０２で選択した文書情報（印刷指示した文書情報）を関連情報付加印刷モードで印刷を行うことを指示することができる。
【００６１】
一方、アプリケーション部１４１では、印刷設定画面１２５上のモード指定欄を用いて行われるモード指定操作を監視し、上記チェック・ボックス（ＣＢ）にチェックが入れられることにより関連情報付加印刷モードの指定を受付け（ステップＳ２０４）、例えば、関連情報付加印刷指定フラグを関連情報付加印刷モードの指定を示す値に変更する。
【００６２】
上記ステップＳ２０２、Ｓ２０３及びＳ２０４での文書情報の選択、印刷設定及び関連情報付加印刷モード指定の受付処理を続けながら、アプリケーション部１４１は、印刷設定画面１２５上で「開始」ボタンを押下する等の印刷開始指示操作が行われたか否かを監視する（ステップＳ２０５）。
【００６３】
この間、印刷開始指示操作が行なわれると（ステップＳ２０５ＹＥＳ）、印刷ジョブ生成部１４２は、上記ステップＳ２０２で選択された文書情報を上記ステップＳ２０３で指定された印刷設定で印刷する処理命令を含む印刷ジョブの生成準備を行う。
【００６４】
その際、印刷設定と共に、関連情報付加印刷モードの指定があるか否か（関連情報付加印刷指定フラグが関連情報付加印刷モードの指定を示す値であるか否か）をチェックし（ステップＳ２０６）、関連情報付加印刷モードの指定がないと判別された場合（ステップＳ２０６ＮＯ）は、通常の印刷制御（ステップＳ２２１）を行う。
【００６５】
この通常の印刷制御において、印刷ジョブ生成部１４２は、上記ステップＳ２０２で選択された文書情報を基に印刷データを生成すると共に、該印刷データと印刷指定部数等の処理命令を含む印刷ジョブを生成してプリンタ２０に送出し、該プリンタ２０に該印刷ジョブに基づき印刷物（文書情報に対応する画像）を指定部数分印刷出力させる。
【００６６】
これに対し、関連情報付加印刷モードの指定があると判別された場合（ステップＳ２０６ＹＥＳ）は、関連情報付加変換処理部１４４は、まず、単語／関連情報管理ＴＢ１３１に格納されている単語を読出し、該読み出した単語（文字コード）を比較照合情報エリアに保持する（ステップＳ２０７）。
【００６７】
次いで、関連情報付加変換処理部１４４は、上記ステップＳＳ２０２で選択された文書情報を図示しないファイル管理エリアから読出し、該文字情報を所定の作業エリアに保持する（ステップＳ２０８）。
【００６８】
引き続き、関連情報付加変換処理部１４４は、上記作業エリアに保持された文書情報の単語を抽出し（ステップＳ２０９）、全ての単語を抽出した後、該抽出した単語の文字コードを各単語順に読み出し（ステップＳ２１０）、該文字コードと上記ステップＳ２０７で比較照合情報エリアに保持されている全ての単語の文字コードと比較照合し、該文字コードが、比較照合情報エリアに保持されている文字コードの中に存在するか否かによって、印刷指示された文書情報から抽出した当該単語が単語／関連情報管理ＴＢ１３に事前登録されている単語（登録済の単語）であるか否かをチェックする（ステップＳ２１１）。
【００６９】
ここで、印刷指示された文書情報から抽出した当該単語が登録済の単語ではないと判別された場合（ステップＳ２１１ＮＯ）、ステップＳ２１３の処理へと進む。
【００７０】
これに対し、印刷指示された文書情報から抽出した当該単語が登録済の単語であると判別された場合（ステップＳ２１１ＹＥＳ）、関連情報付加変換処理部１４４は、該単語に対応して単語／関連情報管理ＴＢ１３１に格納されている関連情報（該単語の意味を表す絵文字情報）を読み出すと共に、印刷指示された文書情報を、該文書情報中の上記登録済の単語であると判別された単語の直後に、上記読み出した関連情報（該単語の意味を表わす絵文字情報）を挿入した文書情報に変換する処理を行なう（ステップＳ２１２）。
【００７１】
引き続き、関連情報付加変換処理部１４４は、次の文字コードがあるか否かをチェックし（ステップＳ２１３）、次の文字コードがある場合（ステップＳ２１３ＹＥＳ）、ステップＳ２１１に戻って該文字コードを読み出し、以後、ステップＳ２１１以降の処理を続行する。
【００７２】
このように、ステップＳ２１０〜Ｓ２１３の処理を経て、印刷指示された文書情報から登録済の単語が抽出される毎に、該文書情報を、当該文書情報中の登録済の単語の後に、該単語に対応して登録されている関連情報（絵文字情報）を付加した文書情報に変換する処理を続けるうちに、当該処理対象の文字コードがなくなったと判別された場合（ステップＳ２１３ＹＥＳ）、関連情報を付加した文書情報への変換が終了した旨を印刷ジョブ生成部１４２に通知する。
【００７３】
印刷ジョブ生成部１４２は、上記通知を受けると、上記ステップＳ２１０〜Ｓ２１３の処理を経て関連情報付加変換処理部１４４により変換処理された文書情報（印刷指示された文書情報を、該文書情報中の登録済の単語の後に、該単語に対応して登録されている関連情報（絵文字情報）を付加した内容に変換した文書情報）に基づくプリンタ２０への印刷指示を行なう（ステップＳ２１９）。
【００７４】
具体的には、上記のように登録済の単語の後に該単語の意味を表す絵文字情報が付加された文書情報を基に印刷データを生成すると共に、該印刷データに、上記ステップＳ２０３での印刷設定内容を反映した処理命令を付加した印刷ジョブを生成し、プリンタ２０に送信する。
【００７５】
一方、プリンタ２０は、ホスト端末１０から印刷ジョブを受信すると、印刷ジョブ解析部２５１で該印刷ジョブを解析して該印刷ジョブに含まれる印刷データから印刷イメージデータを生成し、印刷制御部２５２が該印刷イメージデータを画像形成部２３に転送して該印刷イメージデータに基づく画像を記録媒体（用紙）に印刷して出力させる動作を実行させる。
【００７６】
その際、ホスト端末１０から受信した印刷ジョブに含まれる印刷データは、ホスト端末１０の関連情報付加変換処理部１４４による関連情報付加変換処理（図７のステップＳ２０６〜Ｓ２１４参照）によって、該印刷データの元である文書情報を、該文書情報中の登録済の単語の後に、該単語に対応して登録されている関連情報（絵文字情報）を付加して変換した後の文書内容を有するものである。
【００７７】
よって、この変換後の文書情報から生成された印刷データに基づくプリンタ２０の印刷出力結果は、ユーザが印刷指示した文書情報中の、登録済の単語の後に該単語の意味を表す絵文字情報が挿入された画像内容を有するものとなる。
【００７８】
図９は、ホスト端末１０の印刷処理（図７参照）に基づくプリンタ２０での印刷出力例を示す概念図である。
【００７９】
図９の印刷出力例は、ユーザにより印刷指示される文書情報が、いずれも、「くるまには気をつけましょう。赤しんごうではとまりましょう。」という内容の文書情報ａである場合の例であるが、特に、図９（ａ）は、当該文書情報の印刷指示時に、関連情報付加印刷モードでの印刷を指定しなかった場合の出力例であり、図９（ｂ）は、関連情報付加印刷モードでの印刷を指定した場合の出力例である。
【００８０】
文書情報ａの印刷指示時に、関連情報付加印刷モードでの印刷を指定しなかった場合、ホスト端末１０において、図７のステップＳ２２１での通常印刷制御が実行され、その結果、図９（ａ）に示すように、オリジナルの文書内容を有する画像が印刷された印刷物２３１ａが出力される。
【００８１】
これに対して、文書情報ａの印刷指示時に、関連情報付加印刷モードでの印刷を指定した場合、ホスト端末１０において、図７のステップＳ２０６ＹＥＳ〜Ｓ２１４の処理を経た関連情報付加変換印刷制御が実行され、その結果、図９（ｂ）に示すように、該文書情報中の登録済の単語「くるま」と、「しんごう」のついて、単語「くるま」の後に、車を表す絵から成る絵文字情報が挿入され、単語「しんごう」の後に、信号を表す絵から成る絵文字情報が挿入された文書内容を有する画像が印刷された印刷物２３１ｂが出力される。
【００８２】
従って、この印刷物２３１を、小学校低学年の生徒に配布した場合も、該生徒は、「くるま」と「しんごう」の意味を、それぞれ、その直後に挿入された絵文字を見て理解するようになる。
【００８３】
以上の如く、実施例１に係わるホスト端末１０では、単語／関連情報管理ＴＢ１３１に、単語に対応して、該単語に関連する関連情報として該単語の意味を表現した絵文字情報を保持し、文書情報の印刷指示に際し、関連情報付加変換処理部１４４が、該文書情報を、当該文書情報中の単語／関連情報管理ＴＢ１３１に保持される単語に、該単語に対応して単語／関連情報管理ＴＢ１３１に保持される絵文字情報を付加した文書情報に変換し、印刷ジョブ生成部１４２が、関連情報付加変換処理部１４４による変換後の文書情報に基づき、プリンタ２０に、印刷指示された文書情報中の単語に該単語の意味を表す絵文字情報を付加した印刷物を印刷出力させる。
【実施例２】
【００８４】
図１０は、実施例２に係わる印刷システムの全体構成を示すブロック図である。
【００８５】
この印刷システムは、ホスト端末１０Ｂ、プリンタ２０及び印刷サーバ５０をＬＡＮケーブル等の伝送路３０を介して接続して構成される。
【００８６】
本実施例において、ホスト端末１０Ｂは、ＰＣ等によって実現され、例えば、図１０に示すように、実施例１に係わるホスト端末１０から、単語／関連情報管理ＴＢ１３１、単語／関連情報管理部１４３、関連情報付加変換処理部１４４の各機能を取り去った構成を有する。
【００８７】
かかる構成において、ホスト端末１０Ｂは、実施例１と同様、アプリケーション部１４１によりアプリケーションを起動し、文書を選択して編集画面上に表示し、印刷設定画面１２５（図８参照）を用いて印刷設定を行なう際、必要に応じて、配布先指定欄中のチェック・ボックスにチェックを入れることにより、実施例１で述べた関連情報付加印刷モードでの印刷を指定できるようになっている。
【００８８】
その後、印刷開始操作がなされると、印刷ジョブ生成部１４２は、該文書情報に基づき生成した印刷データと上記印刷設定に基づく処理命令を含む印刷ジョブを生成する。その際、上記印刷設定時に関連情報付加印刷モード印刷指定が受付けられている場合は、その旨を示す関連情報付加印刷指定情報を上記印刷ジョブに付加して印刷サーバ５０に送信する。
【００８９】
すなわち、本実施例に係わるホスト端末１０Ｂは、印刷サーバ５０に対して、文書情報中の単語に関連情報を付加して印刷するモードでの印刷を行うことが指定された文書情報の印刷指示を行う印刷指示機能を有する。
【００９０】
一方、印刷サーバ５０は、コンピュータ等の情報処理装置により実現され、例えば、図１１に示すように、伝送路３０を介してホスト端末１０Ｂやプリンタ２０と通信する際の通信インタフェースを司る通信インタフェース（Ｉ／Ｆ）部５１、動作プログラム等の各種情報を記憶する記憶部５３、装置全体の制御を行う制御部５５を具備して構成される。
【００９１】
印刷サーバ５０において、記憶部５３には、単語／関連情報管理テーブル（ＴＢ）５３１が設けられる。単語／関連情報管理ＴＢ５３１には、実施例１に係わるホスト端末１０の記憶部１３に設けられる単語／関連情報管理ＴＢ１３１（図４参照）と同等の単語／関連情報管理情報が格納されている。
【００９２】
また、印刷サーバ５０の制御部５５には、印刷ジョブ（ＪＯＢ）送受信部５５１、印刷制御部５５２、関連情報付加変換処理部５５３及び単語／関連情報管理部５５４が設けられる。
【００９３】
印刷ジョブ（ＪＯＢ）送受信部５５１は、ホスト端末１０Ｂから送出される印刷ジョブの受信と、プリンタ２０に対する印刷ジョブの送信を通信  Ｉ／Ｆ部５１を介して行なう。
【００９４】
印刷制御部５５２は、ホスト端末１０Ｂから受信した印刷ジョブに基づく通常の印刷制御の他、該受信した印刷ジョブに関連情報付加印刷指令情報が含まれている場合には、該文書情報中の登録済の単語に該単語に対応して登録されている関連情報を付加した内容の画像を印刷出力させる処理（図１２のステップＳ３０２ＹＥＳ→Ｓ３１０）機能を併せ持つ。
【００９５】
関連情報付加変換処理部５５３は、実施例１に係わるホスト端末１０における関連情報付加変換処理部１４４と同等の機能を有するものであり、ホスト端末１０Ｂから受信した印刷ジョブに関連情報付加印刷指令情報が含まれている場合、該文書情報中の単語／関連情報管理ＴＢ５３１に保持される単語（登録済単語）に相当する単語を抽出し、当該文書情報を、上記抽出した単語に関連する関連情報を付加した文書情報に変換処理する。
【００９６】
単語／関連情報管理部５５４は、単語／関連情報管理ＴＢ５３１に、単語／関連情報を登録し、かつ更新する処理を、例えば、ホスト端末１０Ｂの制御部１４ｂと協働して実施する。
【００９７】
具体的には、ホスト端末１０Ｂで所定の情報取得要求操作を行なうと、制御部１４ｂが、印刷サーバ５０に対して、単語／関連情報の取得要求を送出する。
【００９８】
印刷サーバ５０では、上記単語／関連情報取得要求を受信すると、単語／関連情報管理部５５４が、単語／関連情報管理ＴＢ５３１に保持されている単語／関連情報を読み出してホスト端末１０Ｂに送出する。
【００９９】
一方、ホスト端末１０Ｂでは、制御部１４ｂが、上記単語／関連情報取得要求送出後、印刷サーバ５０から送られてくる上記単語／関連情報を取得して、該単語／関連情報を含む確認画面（実施例１と同様のもの）を表示する。
【０１００】
この確認画面上で、新規登録または更新登録操作がなされると、実施例１のものと同等の編集画面１２１（図６参照）を表示する。
【０１０１】
ホスト端末１０Ｂにおいて、ユーザが、上記編集画面１２１上で、単語入力エリア１２１１に単語を入力し、かつ、関連情報入力エリア１２１２に該単語の意味を絵で表す絵文字情報の描画入力を行った後、登録開始操作を行なうと、制御部１４ｂは、該入力された単語と、描画された絵文字情報とを対応付けて登録する要求を印刷サーバ５０に送出する。
【０１０２】
印刷サーバ５０では、上記登録要求を受信すると、単語／関連情報管理部５５４が、ホスト端末１０Ｂにおいて、編集画面１２１を用いて単語入力エリア１２１１に入力された単語と、関連情報入力エリア１２１２に入力された絵文字情報とを対応付けて単語／関連情報管理ＴＢ１３１に登録する。
【０１０３】
図１２は、本実施例に係わる印刷サーバ５０の印刷処理動作を示すフローチャートである。
【０１０４】
図１２に示すように、印刷サーバ５０では、待機中、ホスト端末１０Ｂから印刷ジョブを受信したか否かを監視している（ステップＳ３０１）。
【０１０５】
ここで、印刷ジョブ送受信部５５１を通じて印刷ジョブが受信されると（ステップＳ３０１ＹＥＳ）、印刷制御部５５２は、該印刷ジョブに関連情報付加印刷指定情報が含まれているか否かをチェックし（ステップＳ３０２）、関連情報付加印刷指定情報が含まれていない場合（ステップＳ３０２ＮＯ）は、通常の印刷制御（ステップＳ３２１）を行う。
【０１０６】
これに対し、ホスト端末１０Ｂから受信した印刷ジョブに関連情報付加印刷指定情報が含まれている場合（ステップＳ３０２ＹＥＳ）、印刷制御部５５２と関連情報付加変換処理部５５３とが協働し、受信した印刷ジョブ中の印刷データ（ホスト端末１０Ｂで印刷指示された文書情報に相当）中の単語／関連情報管理ＴＢ５３１に保持される単語に相当する単語を抽出し、当該印刷データを、抽出した単語の直後に該単語の意味を表わす絵文字情報を挿入した印刷データ（文書情報）に変換処理し、該変換処理後の印刷データに基づき、プリンタ２０に、印刷指示された文書情報中の単語に該単語の意味を表す絵文字情報を付加した印刷物を印刷出力させるように制御する（ステップＳ３０３〜Ｓ３１０）。
【０１０７】
このステップＳ３０３〜Ｓ３１０での一連の関連情報付加変換印刷制御は、実施例１に係わるホスト端末１０における、図７のステップＳ２０７〜Ｓ２１４に示した一連の処理と同様であるため、ここでの詳しい説明は割愛する。
【０１０８】
このように、実施例２に係わるホスト端末１０Ｂでは、ホスト端末１０Ｂから印刷サーバ５０に対し、関連情報付加印刷を指定した文書の印刷指示を行ない、印刷サーバ５０では、ホスト端末１０Ｂからの関連情報付加印刷を指定した文書の印刷指示を受付けると、関連情報付加変換処理部５５３が、該文書情報を、当該文書情報中の単語／関連情報管理ＴＢ５３１に保持される単語に、該単語に対応して単語／関連情報管理ＴＢ５３１に保持される絵文字情報を付加した文書情報に変換し、印刷制御部５５２が、関連情報付加変換処理部５５３による変換後の文書情報に基づき、プリンタ２０に、印刷指示された文書情報中の単語に該単語の意味を表す絵文字情報を付加した印刷物を印刷出力させる。
【０１０９】
この他、本発明は、上記し、且つ図面に示す実施例に限定することなく、その要旨を変更しない範囲内で適宜変形して実施できるものである。
【０１１０】
例えば、上記実施例では、単語／関連情報管理ＴＢに、ひらがなの単語と、対応する絵文字情報を保持し、文書情報中のひらがなの単語を抽出して対応する絵文字を挿入したが、印刷指示された文書情報中から登録済のひらがなの単語に相当する漢字文字を抽出して対応する絵文字を挿入するようにしても良い。
【０１１１】
また、上記実施例では、単語／関連情報管理ＴＢに、単語に対応して、該単語の意味を絵で表現した絵文字情報を保持しているが、単語とその単語の関連情報との対応関係はこれに限るものではない。
【０１１２】
例えば、単語に対応して、該単語に関連するリンク情報（例えば、該単語に関係する情報を検索可能なリンクサイトのＵＲＬ等）を保持し、印刷指示された文書情報中の当該単語に後に該単語に対応するリンク情報を挿入して印刷するようにしても良い。
【０１１３】
また、上記実施例では、印刷指示された文書情報中の登録済の単語の直後に関連情報を挿入する例を挙げたが、関連情報を挿入する位置は、関連元の単語の直後に限らず、該関連元の単語の上や下に付加するようにしても良い。
【０１１４】
要は、本発明は、単語に対応して、該単語に関連する関連情報を情報保持手段に保持し、文書情報の印刷指示に際し、該文書情報を、当該文書情報中の前記情報保持手段に保持される単語に、該単語に対応して前記情報保持手段に保持される関連情報を付加した文書情報に変換し、該変換後の文書情報に基づき印刷装置に対する印刷指示を行なう情報処理装置、印刷システム全般に適用できる。
【０１１５】
また、上記実施例では、ホスト端末１０や印刷サーバ５０（以上、コンピュータ）に印刷制御プログラムを実装し、該プログラムに基づき、当該ホスト端末１０，印刷サーバ５０に、文書情報の印刷指示に際し、該文書情報を、当該文書情報中の情報保持手段に保持される単語に、該単語に対応して情報保持手段に保持される関連情報を付加した文書情報に変換する変換ステップと、前記変換ステップによる単語に対する関連情報付加後の前記文書情報に基づき印刷装置に対する印刷指示を行なう印刷指示ステップとを含む印刷制御を実行させるようにしているが、当該印刷制御プログラムをＣＤＲＯＭ等の記憶媒体に格納して提供するようにしても良い。
【産業上の利用可能性】
【０１１６】
本発明は、ＰＣや、ＰＣからの印刷指示に基づき印刷制御を行う印刷サーバ等の情報処理装置、ＰＣ及びプリンタと印刷サーバを接続した印刷システム、ＰＣや印刷サーバに実装する印刷制御プログラムに適用できる。
【図面の簡単な説明】
【０１１７】
【図１】実施例１に係わる印刷システムの全体構成を示すブロック図。
【図２】実施例１に係わるホスト端末の機能構成を示すブロック図。
【図３】プリンタの機能構成を示すブロック図。
【図４】単語／関連情報管理テーブルの登録情報の一例を示す表図。
【図５】実施例１のホスト端末での単語／関連情報登録処理動作を示すフローチャート。
【図６】実施例１に係わる単語／関連情報登録画面の表示例を示す図。
【図７】実施例１に係わるホスト端末での印刷処理動作を示すフローチャート。
【図８】実施例１に係わる印刷設定画面の表示例を示す図。
【図９】実施例１の印刷処理に基づく印刷出力の一例を示す図。
【図１０】実施例２に係わる印刷システムの全体構成を示すブロック図。
【図１１】実施例２に係わる印刷サーバの機能構成を示すブロック図。
【図１２】実施例２の印刷サーバにおける印刷処理動作を示すフローチャート。
【符号の説明】
【０１１８】
１０，１０Ｂ…ホスト端末（ＰＣ）、１１…入力／操作部、１２…表示部、１２１…単語／関連情報登録画面、１２５…印刷設定画面、１３…記憶部、１３１…単語／関連情報管理テーブル（ＴＢ）、１４，１４ｂ…制御部、１４１…アプリケーション部、１４２…印刷ジョブ生成部、１４３…単語／関連情報管理部、１４４…関連情報付加変換処理部、１５…外部インタフェース（Ｉ／Ｆ）部、１５ｂ…通信インタフェース（Ｉ／Ｆ）部、２０…プリンタ、２１…外部インタフェース（Ｉ／Ｆ）部、２２…記憶部、２３…画像形成部、２４…表示／操作部、２５…制御部、２５１…印刷ジョブ解析部、２５２…印刷制御部、３０…伝送路、５０…印刷サーバ、５１…通信インタフェース（Ｉ／Ｆ）部、５３…記憶部、５３１…単語／関連情報管理テーブル（ＴＢ）、５５…制御部、５５１…印刷ジョブ送受信部、５５２…印刷制御部、５５３…関連情報付加変換処理部、５５４…単語／関連情報管理部
【図１】
2008117282.tif 000003
【図２】
2008117282.tif 000004
【図３】
2008117282.tif 000005
【図４】
2008117282.tif 000006
【図５】
2008117282.tif 000007
【図６】
2008117282.tif 000008
【図７】
2008117282.tif 000009
【図８】
2008117282.tif 000010
【図９】
2008117282.tif 000011
【図１０】
2008117282.tif 000012
【図１１】
2008117282.tif 000013
【図１２】
2008117282.tif 000014